(57)【要約】      （修正有）【課題】プッシュ機構におけるプッシュストロークを短縮して操作性を向上させるとともに小形・薄形化を図り、スライド機構は切換位置ごとにクリック感を発生させて他の機能との明確な操作感の差別化を図り、ディジタルカメラ等に搭載するのに好適な２段プッシュスイッチ付きスライドスイッチを提供する。【解決手段】２段階式プッシュ機構に皿形可動接片３を用いたことでプッシュストロークが短縮されて操作性を向上させることができるとともに小形・薄形化を図ることができる。また、スライド機構の操作時にディテント機構２６が動作することで切換位置ごとに操作者に対しクリック感が発生して他の機能との明確な操作感の差別化を得ることができる。【選択図】図２
2009134951.tif 000002
【特許請求の範囲】
【請求項１】
複数のスライド用固定端子及び該複数のスライド用固定端子上をスライドして当該複数のスライド用固定端子間の接続を切換えるスライド接片を備えたスライド機構と、複数のプッシュ用固定端子並びに該複数のプッシュ用固定端子に対向して配置され中央部に対する第１段の押し操作及び第２段の押し操作で段階的且つ弾性的に反転して前記複数のプッシュ用固定端子間の接続を切換える皿形可動接片を備えた２段階式プッシュ機構と、前記皿形可動接片の押し操作及び前記スライド接片のスライド操作を行わせるための摘み並びに該摘みを押し操作可能に保持するとともに前記スライド接片を取付けて前記摘みによるスライド操作時に当該スライド接片を前記複数のスライド用固定端子上にスライドさせるスライダを備えた操作機構と、前記スライダとスイッチ本体側との間に設けられ前記スライド接片による前記複数のスライド用固定端子間の切換位置ごとにクリック感を発生するディテント機構と、前記摘みによる少なくとも一方向へのスライド操作時に該摘みをスライド操作前の中立位置に復帰させるための付勢力を生成し前記摘みによるスライド操作の解除時に前記付勢力により前記摘みを前記スライダとともに前記中立位置に弾力的に復帰させる自己復帰機構とを一体に構成してなることを特徴とする２段プッシュスイッチ付きスライドスイッチ。
【請求項２】
上記２段階式プッシュ機構における複数のプッシュ用固定端子は、２種類のスイッチ回路における各スイッチを構成する固定端子を含み、上記第１段の押し操作で前記２種類のスイッチ回路における一方のスイッチ回路を閉路し、上記第２段の押し操作で前記一方のスイッチ回路を閉路したままで他方のスイッチ回路を閉路するように構成してなることを特徴とする請求項１記載の２段プッシュスイッチ付きスライドスイッチ。
【請求項３】
上記ディテント機構と上記自己復帰機構は、上記２段階式プッシュ機構の両サイドにそれぞれ配置してなることを特徴とする請求項１又は２記載の２段プッシュスイッチ付きスライドスイッチ。
【請求項４】
上記スライド機構における複数のスライド用固定端子及び上記２段階式プッシュ機構における複数のプッシュ用固定端子は、ベースの成形時に該ベース内の表面部にインサート成形により設けてなることを特徴とする請求項１，２又は３記載の２段プッシュスイッチ付きスライドスイッチ。
【発明の詳細な説明】
【技術分野】
【０００１】
本発明は、２段プッシュスイッチ付きスライドスイッチに関するものであり、特に、小形・薄形で優れた操作性を有し、例えばディジタルカメラ等に搭載するのに好適な２段プッシュスイッチ付きスライドスイッチに関するものである。
【背景技術】
【０００２】
この種の従来技術として、例えば、次のようなプッシュスライドスイッチが知られている。この従来技術は、スライドスイッチ機能部とプッシュスイッチ機能部のいずれも、復帰用のバネ部材としてそれぞれコイルばねが使用されて摺動接点方式として構成されている。そして、一つの摘みの操作によってプッシュスイッチとしてもスライドスイッチとしても機能するようになっている（例えば、特許文献１参照）。
【特許文献１】特開２００１−２２９７８１号公報。
【発明の開示】
【発明が解決しようとする課題】
【０００３】
特許文献１に記載の従来技術においては、スライドスイッチ機能部とプッシュスイッチ機能部のいずれも摺動接点方式となっている。このため、プッシュストロークが大きくなってスイッチ全体が大形化するとともに良好な操作感触が得難いという問題があった。また、近年の多様化した機能を持つ例えばディジタルカメラ等の電子機器においては、各機能のスイッチに操作感の差別化が求められている。しかし上記従来技術は、これに対応させることも難しいという問題があった。
【０００４】
そこで、プッシュ機構におけるプッシュストロークを短縮して操作性を向上させるとともに小形・薄形化を図り、スライド機構は切換位置ごとにクリック感を発生させて他の機能との明確な操作感の差別化を図り、ディジタルカメラ等に搭載するのに極めて好適な複合スイッチとし、さらには該複合スイッチを高い精度で容易に製造、組立てを行うとともにコスト低減を図るために解決すべき技術的課題が生じてくるのであり、本発明はこの課題を解決することを目的とする。
【課題を解決するための手段】
【０００５】
本発明は上記目的を達成するために提案されたものであり、請求項１記載の発明は、複数のスライド用固定端子及び該複数のスライド用固定端子上をスライドして当該複数のスライド用固定端子間の接続を切換えるスライド接片を備えたスライド機構と、複数のプッシュ用固定端子並びに該複数のプッシュ用固定端子に対向して配置され中央部に対する第１段の押し操作及び第２段の押し操作で段階的且つ弾性的に反転して前記複数のプッシュ用固定端子間の接続を切換える皿形可動接片を備えた２段階式プッシュ機構と、前記皿形可動接片の押し操作及び前記スライド接片のスライド操作を行わせるための摘み並びに該摘みを押し操作可能に保持するとともに前記スライド接片を取付けて前記摘みによるスライド操作時に当該スライド接片を前記複数のスライド用固定端子上にスライドさせるスライダを備えた操作機構と、前記スライダとスイッチ本体側との間に設けられ前記スライド接片による前記複数のスライド用固定端子間の切換位置ごとにクリック感を発生するディテント機構と、前記摘みによる少なくとも一方向へのスライド操作時に該摘みをスライド操作前の中立位置に復帰させるための付勢力を生成し前記摘みによるスライド操作の解除時に前記付勢力により前記摘みを前記スライダとともに前記中立位置に弾力的に復帰させる自己復帰機構とを一体に構成してなる２段プッシュスイッチ付きスライドスイッチを提供する。
【０００６】
この構成によれば、摘みをスライド操作するとスライダを介してスライド接片が複数のスライド用固定端子上をスライドして該複数のスライド用固定端子間の接続切換えが行われる。一方、摘みを第１段及び第２段の押し操作をすると皿形可動接片が段階的に反転して複数のプッシュ用固定端子間の接続切換えが行われる。また、摘みのスライド操作によるスライド機構の動作時には、これと連動して、ディテント機構が動作する。そして、該ディテント機構の動作により、スライド接片による複数のスライド用固定端子間の切換位置ごとに操作者に対しクリック感が発生して他の機能との操作感の差別化が得られる。また摘みによる少なくとも一方向へのスライド操作時には自己復帰機構の動作により、該スライド操作の解除時に摘みはスライド操作前の中立位置に自動的に復帰する。そして、このようなディテント機能及び自己復帰機能を備えたスライドスイッチ機能と２段階式プッシュスイッチ機能とを一体的に有することで、比較的小形でありながら複数のスイッチ機能を必要とする例えばディジタルカメラ等に搭載するのに極めて好適な複合スイッチが得られる。
【０００７】
請求項２記載の発明は、上記２段階式プッシュ機構における複数のプッシュ用固定端子は、２種類のスイッチ回路における各スイッチを構成する固定端子を含み、上記第１段の押し操作で前記２種類のスイッチ回路における一方のスイッチ回路を閉路し、上記第２段の押し操作で前記一方のスイッチ回路を閉路したままで他方のスイッチ回路を閉路するように構成してなる２段プッシュスイッチ付きスライドスイッチを提供する。
【０００８】
この構成によれば、第１段の押し操作で一方のスイッチ回路を閉路し、この閉路状態のまま第２段の押し操作で他方のスイッチ回路が閉路されることで、例えば、ディジタルカメラにおいて自動焦点整合を行うスイッチ回路を閉路状態に保持したままシャッタレリーズ回路を閉路するというような２段階式スイッチ機能を極めて好適に実現しうる２段階式プッシュ機構が得られる。
【０００９】
請求項３記載の発明は、上記ディテント機構と上記自己復帰機構は、上記２段階式プッシュ機構の両サイドにそれぞれ配置してなる２段プッシュスイッチ付きスライドスイッチを提供する。
【００１０】
この構成によれば、複数のプッシュ用固定端子、皿形可動接片及び操作機構における摘みが縦形に構成される２段階式プッシュ機構に対し、その両サイドにディテント機構と自己復帰機構をそれぞれ配置したことで、スイッチ全体の薄形化が、より良く図れる。
【００１１】
請求項４記載の発明は、上記スライド機構における複数のスライド用固定端子及び上記２段階式プッシュ機構における複数のプッシュ用固定端子は、ベースの成形時に該ベース内の表面部にインサート成形により設けてなる２段プッシュスイッチ付きスライドスイッチを提供する。
【００１２】
この構成によれば、複数のスライド用固定端子と複数のプッシュ用固定端子とをベース内の表面部にインサート成形により設けたことで、組立工数の低減とともにスイッチ全体の薄形化が図れる。
【発明の効果】
【００１３】
請求項１記載の発明は、複数のスライド用固定端子及び該複数のスライド用固定端子上をスライドして当該複数のスライド用固定端子間の接続を切換えるスライド接片を備えたスライド機構と、複数のプッシュ用固定端子並びに該複数のプッシュ用固定端子に対向して配置され中央部に対する第１段の押し操作及び第２段の押し操作で段階的且つ弾性的に反転して前記複数のプッシュ用固定端子間の接続を切換える皿形可動接片を備えた２段階式プッシュ機構と、前記皿形可動接片の押し操作及び前記スライド接片のスライド操作を行わせるための摘み並びに該摘みを押し操作可能に保持するとともに前記スライド接片を取付けて前記摘みによるスライド操作時に当該スライド接片を前記複数のスライド用固定端子上にスライドさせるスライダを備えた操作機構と、前記スライダとスイッチ本体側との間に設けられ前記スライド接片による前記複数のスライド用固定端子間の切換位置ごとにクリック感を発生するディテント機構と、前記摘みによる少なくとも一方向へのスライド操作時に該摘みをスライド操作前の中立位置に復帰させるための付勢力を生成し前記摘みによるスライド操作の解除時に前記付勢力により前記摘みを前記スライダとともに前記中立位置に弾力的に復帰させる自己復帰機構とを一体に構成したので、２段階式プッシュ機構に皿形可動接片を用いたことでプッシュストロークが短縮されて操作性を向上させることができるとともに小形・薄形化を図ることができる。スライド機構の操作時に切換位置ごとに操作者に対しクリック感が発生することで他の機能との明確な操作感の差別化を得ることができる。ディテント機構及び自己復帰機構を備えたスライド機構と２段階式プッシュ機構とを一体化したことで、複合機能を備えたスイッチを高い精度で容易に製造、組立てを行うことができる。また小形・薄形としたことで、比較的小形でありながら複数のスイッチ機能を必要とする例えばディジタルカメラ等の機器に搭載するのに極めて好適な複合スイッチを得ることできるという利点がある。
【００１４】
請求項２記載の発明は、上記２段階式プッシュ機構における複数のプッシュ用固定端子は、２種類のスイッチ回路における各スイッチを構成する固定端子を含み、上記第１段の押し操作で前記２種類のスイッチ回路における一方のスイッチ回路を閉路し、上記第２段の押し操作で前記一方のスイッチ回路を閉路したままで他方のスイッチ回路を閉路するように構成したので、例えば、ディジタルカメラにおいて自動焦点整合を行うスイッチ回路を閉路状態に保持したままシャッタレリーズ回路を閉路するというような２段階式スイッチ機能を極めて好適に実現することができるという利点がある。
【００１５】
請求項３記載の発明は、上記ディテント機構と上記自己復帰機構は、上記２段階式プッシュ機構の両サイドにそれぞれ配置したので、皿形可動接片及び摘み等が縦形に構成される２段階式プッシュ機構に対し、その両サイドにディテント機構と自己復帰機構をそれぞれ配置したことで、スイッチ全体の薄形化を、より良く図ることができるという利点がある。
【００１６】
請求項４記載の発明は、上記スライド機構における複数のスライド用固定端子及び上記２段階式プッシュ機構における複数のプッシュ用固定端子は、ベースの成形時に該ベース内の表面部にインサート成形により設けたので、組立工数を低減することができて経済的な効果を期待することができるとともに薄形化を図ることができるという利点がある。
【発明を実施するための最良の形態】
【００１７】
プッシュ機構におけるプッシュストロークを短縮して操作性を向上させるとともに小形・薄形化を図り、スライド機構は切換位置ごとにクリック感を発生させて他の機能との明確な操作感の差別化を図り、ディジタルカメラ等に搭載するのに極めて好適な複合スイッチとし、さらには該複合スイッチを高い精度で容易に製造、組立てを行うとともにコスト低減を図るという目的を、複数のスライド用固定端子及び該複数のスライド用固定端子上をスライドして当該複数のスライド用固定端子間の接続を切換えるスライド接片を備えたスライド機構と、複数のプッシュ用固定端子並びに該複数のプッシュ用固定端子に対向して配置され中央部に対する第１段の押し操作及び第２段の押し操作で段階的且つ弾性的に反転して前記複数のプッシュ用固定端子間の接続を切換える皿形可動接片を備えた２段階式プッシュ機構と、前記皿形可動接片の押し操作及び前記スライド接片のスライド操作を行わせるための摘み並びに該摘みを押し操作可能に保持するとともに前記スライド接片を取付けて前記摘みによるスライド操作時に当該スライド接片を前記複数のスライド用固定端子上にスライドさせるスライダを備えた操作機構と、前記スライダとスイッチ本体側との間に設けられ前記スライド接片による前記複数のスライド用固定端子間の切換位置ごとにクリック感を発生するディテント機構と、前記摘みによる少なくとも一方向へのスライド操作時に該摘みをスライド操作前の中立位置に復帰させるための付勢力を生成し前記摘みによるスライド操作の解除時に前記付勢力により前記摘みを前記スライダとともに前記中立位置に弾力的に復帰させる自己復帰機構とを一体に構成することにより実現した。
【実施例１】
【００１８】
以下、本発明の実施例を図面に従って詳述する。図１は２段プッシュスイッチ付きスライドスイッチの外観を示す図、図２は２段プッシュスイッチ付きスライドスイッチの要部分解斜視図、図３及び図４はベース部を示す図である。まず、本実施例に係る２段プッシュスイッチ付きスライドスイッチの構成を説明する。
【００１９】
図２において、２段プッシュスイッチ付きスライドスイッチ１は、主として、ベース２、後述する複数のプッシュ用固定端子と共に２段階式プッシュ機構を構成する皿形可動接片３、自己復帰機構を構成するコイルばね４、絶縁板５、後述する複数のスライド用固定端子と共にスライド機構を構成するスライド接片６、皿形可動接片３のプッシュ（押し）操作及びスライド接片６のスライド操作を行うための摘み７ａを備えた摘み部７、該摘み部７と共に操作機構９を構成するスライダ８、並びにベース２の上側に取付けられ、該ベース２と共にスイッチ本体となるカバー１０等で構成されている。
【００２０】
ベース２は、合成樹脂等の絶縁性部材製であり、図３（ａ）に示すように、平面視左右方向にやや長い長方形状で上面が開放の箱形に形成されている。ベース２の内底面２ａには、ほぼ円形の凹部２ｂ内に３個のプッシュ用固定端子１１，１２，１３が形成されている。該３個のプッシュ用固定端子１１，１２，１３における２個のプッシュ用固定端子１１と１３間の間隔は、他の２個のプッシュ用固定端子１２と１３間の間隔よりも所要間隔だけ大きくとられている。前記ほぼ円形の凹部２ｂにおける円中心に対する左右対称の位置には、前記皿形可動接片３を位置決めするための位置決め凹部２ｃ，２ｃが切欠かれている。
【００２１】
また、内底面２ａにおける幅方向の一側部（図３（ａ）の上部側）には、スライド用の４個の固定端子１４、固定端子１５、共通固定端子１６及び固定端子１７が左右方向に一列に並んで形成されている。前記３個のプッシュ用固定端子１１，１２，１３及び４個のスライド用固定端子１４，１５，１６，１７は、ベース２の成形時に、その内底面２ａにインサート成形により形成されている。
【００２２】
また、ベース２における幅方向の他側部（図３（ａ）の下部側）には、溝状のコイルばね収容凹部１８が形成され、該コイルばね収容凹部１８の左右両端部に前側位置決め部１８ａと後側位置決め部１８ｂが形成されている。前記コイルばね４は、その両端部が前側位置決め部１８ａと後側位置決め部１８ｂにそれぞれ位置決めされてコイルばね収容凹部１８に収容される。
【００２３】
ベース２の左右外側面２ｄ，２ｄにおける各端部の上部位置には、カバー１０を係止するための係止突起１９，…がそれぞれ形成されている。
【００２４】
図５は、ベース２の内底面２ａに配列されている３個のプッシュ用固定端子１１，１２，１３並びにスライド用の４個の固定端子１４、固定端子１５、共通固定端子１６及び固定端子１７の各形状及び配列状態を示している。３個のプッシュ用固定端子１１，１２，１３の各端子部１１ａ，１２ａ，１３ａと４個のスライド用固定端子１４〜１７の各端子部１４ａ，１５ａ，１５ｂ，１６ａ，１６ｂ，１７ａは、ベース２の外側面にそれぞれ導出されている。      
【００２５】
前記皿形可動接片３は、金属板ばね材を、前記ベース２における円形の凹部２ｂ内に遊嵌させるように打ち抜き形成したもので、図６の（ａ）、（ｂ）、（ｃ）に示すように、円形の中央円板部３ａと、その外側のリング状枠部３ｂとが同心円状に形成され、両者が中心を通る１対の連結片３ｃ，３ｃにより一体に連結されている。この一体に連結された中央円板部３ａ、リング状枠部３ｂ及び連結片３ｃ，３ｃは、中心に向かって上方に緩やかに湾曲され、全体で、中央円板部３ａの中心が頂部となった皿ばね状に形成されている。
【００２６】
また、図６（ａ）において、皿形可動接片３の左右２箇所のリング状枠部３ｂの部位には、外側に向かって突出された矩形状の支持片３ｄ，３ｄが一体に形成されている。さらに前記リング状枠部３ｂにおける上下２箇所の部位は、その円周方向に沿った円弧の一部が絞られ、上方に湾曲した絞り部３ｅ，３ｅが形成されている。絞り部３ｅ，３ｅは、円周方向に沿った円弧の一部が上方に絞られることによって、半径方向に直線状に延びるリブとして表れている。
【００２７】
このように構成された皿形可動接片３は、ベース２における位置決め凹部２ｃ，２ｃに支持片３ｄ，３ｄがそれぞれ遊嵌されて、円形の凹部２の部分に位置決めして配置されるものであり、該皿形可動接片３は前記３個のプッシュ用固定端子１１，１２，１３と共に２段階式プッシュ機構を構成している。皿形可動接片３は、円形の凹部２の部分に配置されて非動作の状態では、リング状枠部３ｂのみが共通固定端子となるプッシュ用固定端子１１と接触し、中央円板部３ａは皿ばね状に上方に湾曲して他の２個のプッシュ用固定端子１２，１３とは接触せず、それぞれ２個のプッシュ用固定端子１１と１２間及び２個のプッシュ用固定端子１１と１３間は電気的にオフとなっている。
【００２８】
絶縁板５は、皿形可動接片３とスライド接片６との間の電気的絶縁を図るものである。
【００２９】
スライド接片６は、金属板ばね材をプレス加工して形成されたものであり、両端には、４個のスライド用固定端子１４，１５，１６，１７に摺接接続される接点６ａ，６ｂがそれぞれ形成されている。このスライド接片６は、４個のスライド用固定端子１４，１５，１６，１７と共にスライド機構を構成している。
【００３０】
摘み部７は、図８に示すように、摘み７ａの下部に鍔部７ｂが設けられ、摘み７ａの上面に凹部７ｃが形成されている。該凹部７ｃに別途作製した適宜の部品等を嵌着することができる。摘み７ａは、前記皿形可動接片３の第１段及び第２段の押し操作並びに前記スライド接片６のスライド操作を行わせるためのもので、鍔部７ｂの底面には前記皿形可動接片３の中央部に向かって突き出した凸部７ｄが形成されている。摘み７ａを押し操作したとき、該凸部７ｄにより皿形可動接片３の中央部を確実に１段押し及び続いての２段押しをすることができる。
【００３１】
スライダ８は合成樹脂製であり、図９に示すように、その上面のほぼ中央部には前記摘み７ａを押し操作可能に保持するための開口２０が形成されている。スライダ８は、その下面に前記スライド接片６を取付けて摘み７ａによるスライド操作時に該スライド接片６を前記４個のスライド用固定端子１４，１５，１６，１７上にスライドさせて、該スライド用固定端子１４，１５，１６，１７間の接続を切換えるものである。そして、該スライダ８と前記摘み部７とで、操作機構９が構成されている。
【００３２】
スライダ８の上面における一側部（図９（ａ）の上部側）には、３個のディテント係止用凹部２１ａ，２１ｂ，２１ｃが左右方向に、それぞれ所要間隔をおいて形成されている。また、スライダ８の他側部（図９（ｄ）の下部側）における下面には、前記コイルばね収容凹部１８における前側位置決め部１８ａと後側位置決め部１８ｂ（図３（ａ）参照）にそれぞれ対応した前側作用部２２ａと後側作用部２２ｂが下方に向けて形成されている。
【００３３】
図７は、ベース２部分のコイルばね収容凹部１８に収容されたコイルばね４に対するスライダ８の下面に形成された前側作用部２２ａ及び後側作用部２２ｂの係わり合い関係を示している。このような収容状態にあるコイルばね４の前端に対してはスライダ８側の前側作用部２２ａが、またコイルばね４の後端に対してはスライダ８側の後側作用部２２ｂがそれぞれ係合可能となるように、スライダ８がベース２内の上部に左右移動可能に取付けられている。図７は、スライダ８が中立位置にあるときのコイルばね４の両端に対するスライダ８側の前側作用部２２ａ及び後側作用部２２ｂの係わり合い関係を示している。コイルばね４、コイルばね収容凹部１８の両端部に形成された前側位置決め部１８ａ及び後側位置決め部１８ｂ、並びにスライダ８の下面に形成された前側作用部２２ａ及び後側作用部２２ｂにより、自己復帰機構２３が構成されている。
【００３４】
カバー１０は、スライダ８の上側からベース２に取付けられるもので、金属板ばね材をプレス加工して形成されており、図１０に示すように、本体部１０ａ及び該本体部１０ａの左右両側から下側に折曲された左右の側板部１０ｂ，１０ｂが一体に形成されている。本体部１０ａには、操作機構９における摘み７ａと対応する位置に摘み用開口２４が形成され、左右の側板部１０ｂ，１０ｂには、前記ベース２に形成されている４個の係止突起１９，…にそれぞれ係止するための４個の係止爪１０ｃ，…が形成されている。また、本体部１０ａの一側部（図１０（ａ）の上部側）には、スライダ８における前記ディテント係止用凹部２１ａ，２１ｂ，２１ｃに対応した下方側への突部２５ａを有するディテントばね２５が形成されている。該下方側への突部２５ａを有するディテントばね２５と前記スライダ８におけるディテント係止用凹部２１ａ，２１ｂ，２１ｃとでディテント機構２６が構成されている。
【００３５】
このような２段プッシュスイッチ付きスライドスイッチ１は、まず最初に３個のプッシュ用固定端子１１，１２，１３及び４個のスライド用固定端子１４，１５，１６，１７が予め一体に形成されたベース２の上方より、皿形可動接片３を、その支持片３ｄ，３ｄが位置決め凹部２ｃ，２ｃに遊嵌されるようにして円形の凹部２の部分に配置し、また絶縁板５を所定の態様で取付ける。次いで、摘み部７にスライダ８を重ね合わせるとともに、該スライダ８の下面にスライド接片６を取付けた状態で、該摘み部７とスライダ８で構成される操作機構９をベース２上に配置する。これにより、スライド接片６がスライド用固定端子１４，１５，１６，１７上に配置されてスライド機構としての１回路３接点のスライドスイッチ２７（後述の図１２参照）が構成される。また摘み部７における凸部７ｄが皿形可動接片３の中央部に対向して２段階式プッシュ機構としての２段プッシュスイッチ２８（後述の図１３参照）が構成される。このような状態で、操作機構９が、皿形可動接片３、絶縁板５及びスライド接片６を覆って配置される。
【００３６】
次いで、摘み７ａと摘み用開口２４を対応させて操作機構９の上からカバー１０を被せ、カバー１０側の係止爪１０ｃ，…をベース２側の係止突起１９，…に係合させ、該カバー１０をベース２に取付ける。これにより、摘み７ａが摘み用開口２４からカバー１０の外側に突出し、またディテントばね２５の突部２５ａがスライダ８のディテント係止用凹部２１ａ，２１ｂ，２１ｃに係合可能な状態で組み立てられる。図１は、この組立てられた後の２段プッシュスイッチ付きスライドスイッチ１を示している。
【００３７】
次に、図１１〜図１３を用いて、上述のように組み立てられた２段プッシュスイッチ付きスライドスイッチ１の動作を説明する。まず、摘み７ａを左右に動かした場合、即ちスライドスイッチ２７として動作させた場合を説明する。
【００３８】
「摘み７ａが中立位置にあるとき」（図１１（ａ）、図１２（ａ））。このとき、スライドスイッチ２７におけるスライド接片６は、共通固定端子１６と固定端子１５とに接触して該両端子１５，１６間がオンになる。また、ディテント機構２６はディテントばね２５の突部２５ａが中立点に対応したディテント係止用凹部２１ｂに落ち込み係合している。
【００３９】
「摘みを左側へスライド操作したとき」（図１１（ｂ）、図１２（ｂ））。このとき、スライドスイッチ２７におけるスライド接片６は左側へスライドし、共通固定端子１６と固定端子１４とが接触するように切換えられて該両端子１４，１６間がオンになり、共通固定端子１６と固定端子１５間はオフに転じる。また、スライド接片６の左側へのスライドに連動してディテント機構２６及び自己復帰機構２３が次のように動作する。即ち、ディテント機構２６では、ディテントばね２５の突部２５ａがディテント係止用凹部２１ａに落ち込み係合して操作者にクリック感が与えられる。自己復帰機構２３では、前端が前側位置決め部１８ａで係止されたコイルばね４の後端がスライダ８側の後側作用部２２ｂで押されることで、該コイルばね４が圧縮されて摘み７ａをスライド操作前の中立位置に復帰させるための付勢力が生成される。この付勢力により摘み７ａによる左側へのスライド操作が解除されると、該摘み７ａはスライダ８とともに前記中立位置に弾力的に復帰する。
【００４０】
「摘みを右側へスライド操作したとき」（図１１（ｃ）、図１２（ｃ））。このとき、スライドスイッチ２７におけるスライド接片６は右側へスライドし、共通固定端子１６と固定端子１７とが接触するように切換えられて該両端子１６，１７間がオンになり、共通固定端子１６と固定端子１５間はオフに転じる。また、スライド接片６の右側へのスライドに連動してディテント機構２６及び自己復帰機構２３が次のように動作する。即ち、ディテント機構２６では、ディテントばね２５の突部２５ａがディテント係止用凹部２１ｃに落ち込み係合して操作者にクリック感が与えられる。自己復帰機構２３では、後端が後側位置決め部１８ｂで係止されたコイルばね４の前端がスライダ８側の前側作用部２２ａで押されることで、該コイルばね４が圧縮されて摘み７ａをスライド操作前の中立位置に復帰させるための付勢力が生成される。この付勢力により摘み７ａによる右側へのスライド操作が解除されると、該摘み７ａはスライダ８とともに前記中立位置に弾力的に復帰する。
【００４１】
なお、自己復帰機構２３については、スライダ８の下面における前側作用部２２ａ又は後側作用部２２ｂのうちのいずれか一方の作用部の形成を省略して、変形例として構成することも可能である。そして前側作用部２２ａの形成を省略したときは、摘み７ａを右側へスライド操作したとき、コイルばね４は圧縮されないので摘み７ａをスライド操作前の中立位置に復帰させるための付勢力は生成されない。このため、共通固定端子１６と固定端子１７間のオン状態への切換えはそのまま保持される。この切換え状態から摘み７ａを中立位置に復帰させるときは、該摘み７ａの手動操作がなされる。
【００４２】
また、後側作用部２２ｂの形成を省略したときは、摘み７ａを左側へスライド操作したとき、コイルばね４は圧縮されないので摘み７ａをスライド操作前の中立位置に復帰させるための付勢力は生成されない。このため、共通固定端子１６と固定端子１４間のオン状態への切換えはそのまま保持される。この切換え状態から摘み７ａを中立位置に復帰させるときは、前記と同様に該摘み７ａの手動操作がなされる。
【００４３】
次いで、摘み７ａを押し操作した場合、即ち２段プッシュスイッチ２８として動作させた場合を説明する。
【００４４】
「摘み７ａを押し操作してないとき」（図１３（ａ））。このとき、２段プッシュスイッチ２８は、皿形可動接片３におけるリング状枠部３ｂ（図６参照）のみが共通固定端子となるプッシュ用固定端子１１（図３（ａ）参照）と接触し、該共通のプッシュ用固定端子１１と他の２個のプッシュ用固定端子間、即ちプッシュ用固定端子１１と１２間及び１１と１３間は共にに電気的にオフ状態のままに保持されている。
【００４５】
「摘み７ａを押し操作したとき」（図１３（ｂ））。まず、摘み７ａを１段押し操作すると、皿形可動接片３における中央円板部３ａの中心が下方へ押し下げられ、リング状枠部３ｂとこれにつられて連結片３ｃ，３ｃが皿形可動接片３の中心に向かって下方に傾斜するように反転し且つ、操作者にクリック感を付与して、上方に湾曲する中央円板部３ａ全体が下降する。この下降によって中央円板部３ａの周辺が、その下方のプッシュ用固定端子１２に当接してプッシュ用固定端子１１と１２間が導通する。これにより、例えば図示しない第１のスイッチ回路がオンに切り換わる。なお、この動作では、反転までにリング状枠部３ｂに蓄積されていた捻り応力と曲げ応力によるエネルギは、反転の際に、反転方向に付勢するように作用する。したがって、一段押し操作で押下力を解除した場合は、その反力でプッシュ用固定端子１１と１２間は、元のオフ状態に復帰する。
【００４６】
次に、１段押し操作から引き続いて２段押し操作を行うと、中央円板部３ａの中心（頂部）がさらに押し下げられ、中央円板部３ａ自体が弾性的に反転する。この反転の際には、１段押し操作のときと同様に、クリック感が発生するとともに、中央円板部３ａの中心部分が下方に変位し、その裏面が中央部のプッシュ用固定端子１３に接触する（図１３（ｂ）の状態）。その結果、１段押し操作によるプッシュ用固定端子１１と１２間の導通に加えて、プッシュ用固定端子１１と１３間も導通し、第１のスイッチ回路のオン動作に加えて図示しない第２のスイッチ回路もオンに切り換わる。その後、摘み７ａからの押圧を解除すれば、皿形可動接片３は、自身の弾性により、中心部が上方に突出する皿ばね状に復帰し、第１、第２のスイッチ回路がそれぞれオフに転じる。
【００４７】
上述したように、本実施例に係る２段プッシュスイッチ付きスライドスイッチにおいては、  ２段プッシュスイッチ２８に皿形可動接片３を用いたことでプッシュストロークが短縮されて操作性を向上させることができるとともに小形・薄形化を図ることができる。
【００４８】
小形・薄形としたことで、比較的小形でありながら複数のスイッチ機能を必要とする例えばディジタルカメラ等の機器に搭載するのに極めて好適な複合スイッチを提供することができる。
【００４９】
２段プッシュスイッチ２８は、第１段の押し操作で２種類のスイッチ回路における一方のスイッチ回路を閉路し、引き続いての第２段の押し操作で前記一方のスイッチ回路を閉路したままで他方のスイッチ回路を閉路することができるので、例えば、ディジタルカメラにおいて自動焦点整合を行うスイッチ回路を閉路状態に保持したままシャッタレリーズ回路を閉路するというような２段階式スイッチ機能を極めて好適に実現することができる。
【００５０】
スライドスイッチ２７は、切換位置ごとにクリック感が発生することで他の機能との明確な操作感の差別化を得ることができる。
【００５１】
ディテント機構２６及び自己復帰機構２３を備えたスライドスイッチ２７と２段プッシュスイッチ２８とを一体化したことで、複合機能を備えたスイッチを高い精度で容易に製造、組立てを行うことができる。
【００５２】
皿形可動接片３及び摘み部７等が縦形に構成される２段プッシュスイッチ２８に対し、その両サイドにディテント機構２６と自己復帰機構２４をそれぞれ配置したことで、スイッチ全体の薄形化を、より良く図ることができる。
【００５３】
複数のスライド用固定端子１４〜１７及び複数のプッシュ用固定端子１１〜１３は、ベース２の成形時にインサート成形により形成したので、組立工数を低減することができて経済的な効果を期待することができる。
【００５４】
なお、自己復帰機構２３については、前述のように、スライダ８の下面における前側作用部２２ａ又は後側作用部２２ｂのうちのいずれか一方の作用部の形成を省略することで、摘み７ａを右側へスライド操作したとき、又は摘み７ａを左側へスライド操作したときについて該自己復帰機構２３の機能は無効となる変形例が構成されることを述べた。これと同様にして、ディテント機構２６についても、カバー１０部分への突部２５ａを有するディテントばね２５の形成の有無、及びスライダ８部分へのディテント係止用凹部２１ａ，２１ｂ，２１ｃの形成の有無により、摘み７ａを右側へスライド操作したとき、又は摘み７ａを左側へスライド操作したときについて、ディテント機構２６の機能は無効となる変形例が得られる。
【００５５】
そこで、本実施例に係る２段プッシュスイッチ付きスライドスイッチにおいては、スライダ８及びカバー１０のみを組み替えることで、自己復帰機構２３とディテント機構２６についてそれぞれ機能の異なる変形例を構成し、この両変形例を組合わせることで２段プッシュスイッチ付きスライドスイッチとして、例えば、１３通りのバリエーションを有するものを用意することが可能である。
【００５６】
図１４は、この自己復帰機構２３による自己復帰機能とディテント機構２６によるクリック感触についての１３通りのバリエーションを有する２段プッシュスイッチ付きスライドスイッチＡ〜Ｎをまとめて示している。表中、「○」は「機能有り」を示し、空欄は「機能なし」を示す。
【００５７】
なお、本発明は、本発明の精神を逸脱しない限り種々の改変をなすことができ、そして、本発明が該改変されたものにも及ぶことは当然である。
【図面の簡単な説明】
【００５８】
図は本発明の実施例に係る２段プッシュスイッチ付きスライドスイッチを示すものである。
【図１】２段プッシュスイッチ付きスライドスイッチの外観を示す図であり、（ａ）は平面図、（ｂ）は図（ａ）のＡ側から見た側面図、（ｃ）は図（ａ）のＢ側から見た側面図。
【図２】２段プッシュスイッチ付きスライドスイッチの要部分解斜視図。
【図３】ベースを示す図であり、（ａ）は平面図、（ｂ）は図（ａ）のＤ側から見た側面図、（ｃ）は図（ａ）のＥ側から見た側面図、（ｄ）は底面図。
【図４】ベースを示す図であり、（ａ）は図３（ａ）のＦ−Ｆ線断面図、（ｂ）は図３（ａ）のＧ−Ｇ線断面図、（ｃ）は図３（ａ）のＨ−Ｈ線断面図。
【図５】ベース内の表面部にインサート成形された複数のスライド用固定端子及び複数のプッシュ用固定端子を示す平面図。
【図６】皿形可動接片を示す図であり、（ａ）は平面図、（ｂ）は図（ａ）のＪ側から見た側面図、（ｃ）は図（ａ）のＫ側から見た側面図。
【図７】ベースの一側部に内装された自己復帰機構の構成図。
【図８】摘み部を示す図であり、（ａ）は平面図、（ｂ）は図（ａ）のＬ−Ｌ線断面図。
【図９】スライダを示す図であり、（ａ）は平面図、（ｂ）は図（ａ）のＭ−Ｍ線断面図、（ｃ）は図（ａ）のＮ−Ｎ線断面図、（ｄ）は底面図。
【図１０】カバーを示す図であり、（ａ）は平面図、（ｂ）は図（ａ）の側面図、（ｃ）は図（ａ）のＰ−Ｐ線断面図、（ｄ）は図（ａ）のＱ−Ｑ線断面図。
【図１１】スライド機構のスライド操作状態を示す図１（ａ）のＣ−Ｃ線断面に相当する図であり、（ａ）は摘みが中立位置にあるときの図、（ｂ）は摘みを一側方へスライド操作した状態の図、（ｃ）は摘みを他側方へスライド操作した状態の図。
【図１２】スライド機構の接点切換えを模式的に示す図であり、（ａ）は摘みが中立位置にあるときの結線図、（ｂ）は摘みを一側方へスライド操作したときの結線図、（ｃ）は摘みを他側方へスライド操作したときの結線図。
【図１３】２段階式プッシュ機構のプッシュ操作状態を示す図１（ａ）のＣ−Ｃ線断面に相当する図であり、（ａ）は非プッシュ操作状態の図、（ｂ）は摘みを２段プッシュ操作した状態の図。
【図１４】スライドスイッチ部における自己復帰機構とディテント機構のバリエーションを示す図。
【符号の説明】
【００５９】
１        ２段プッシュスイッチ付きスライドスイッチ
２        ベース
３        皿形可動接片
４        コイルばね
５        絶縁板
６        スライド接片
７        摘み部
７ａ      摘み
８        スライダ
９        操作機構
１０        カバー
１１        プッシュ用固定端子
１２        プッシュ用固定端子
１３        プッシュ用固定端子
１４        固定端子
１５        固定端子
１６        共通固定端子
１７        固定端子
１８        コイルばね収容凹部
１９        係止突起
２０        開口
２１ａ〜ｃ  ディテント係止用凹部
２２ａ〜ｂ  前側作用部と後側作用部
２３        自己復帰機構
２４        摘み用開口
２５        ディテントばね
２６        ディテント機構
２７        スライドスイッチ
２８        ２段プッシュスイッチ
【図１】
2009134951.tif 000003
【図２】
2009134951.tif 000004
【図３】
2009134951.tif 000005
【図４】
2009134951.tif 000006
【図５】
2009134951.tif 000007
【図６】
2009134951.tif 000008
【図７】
2009134951.tif 000009
【図８】
2009134951.tif 000010
【図９】
2009134951.tif 000011
【図１０】
2009134951.tif 000012
【図１１】
2009134951.tif 000013
【図１２】
2009134951.tif 000014
【図１３】
2009134951.tif 000015
【図１４】
2009134951.tif 000016